(57)【要約】【課題】構造がシンプルで軽く、使用時にかさばる部分を小さくし人ごみでの使用も便利であり、抱っこだけでなくおんぶも可能なベビーキャリアを提供する。【解決手段】このベビーキャリア１は全体が１本のパイプ材又は棒材からなる。形状は、大人の左右の肩５の後から上を経て前から下方へ伸び胸又は腹１１に沿う形状を有して体に接触する２本の接触部分１３と、各接触部分１３から略水平方向へ伸びて子供１５の体重を支持する支持部分１７と、支持部分１７から上方へ立ち上がり結合し子供１５の腹又は背中を支える結合部分１９と、を有する。各部分１９が屈曲加工される。大人の左右の肩５の後から肩５の上を経る部分に、パッド２３が設けられる。２本の接触部分１３を互いに連結して補強し、背もたれを兼ねる平板状部分２９を有する。また、子供１５の両脇の下を通って子供１５の胸１５Ａを支える安全帯２１の両端が設けられる。【選択図】図1
2005111194.tif 000002
【特許請求の範囲】
【請求項１】
パイプ材又は棒材からなり、大人の左右の肩の後から肩の上を経て肩の前から下方へ伸び胸又は腹に沿う形状を有して体に接触する左右２本の接触部分と、これら各接触部分から連続して略水平方向へ伸びて子供の体重を支持する支持部分と、これら支持部分が結合し子供の腹又は背中を支える結合部分と、を有することを特徴とするベビーキャリア。
【請求項２】
全体が１本の前記パイプ材又は棒材からなり、前記各部分が屈曲されて加工され、前記支持部分から前記結合部分が上方へ立ち上がっていることを特徴とする請求項１に記載のベビーキャリア。
【請求項３】
前記大人の左右の肩の後から肩の上を経る部分に、部分的な接触を緩和するためのパッドが設けられることを特徴とする請求項１、又は２に記載のベビーキャリア。
【請求項４】
前記２本の接触部分を互いに連結して補強し、同時に子供の背もたれを兼ねる平板状部分を有することを特徴とする請求項１、２、又は３に記載のベビーキャリア。
【請求項５】
前記２本の支持部分は、子供の尻部が入らない間隔を有し、子供が跨いでも痛くないクッション、又はパッドなどの緩衝材で覆われていることを特徴とする請求項１、２、３、又は４に記載のベビーキャリア。
【請求項６】
前記２本の支持部分は、子供の尻部が入る大きさの間隔を有し、この尻部を支える布、クッション、又は網などのフレキシブルな面材で互いに連結されていることを特徴とする請求項１、２、３、又は４に記載のベビーキャリア。
【請求項７】
前記フレキシブルな面材には、子供の脚を入れる孔が形成されていることを特徴とする請求項６に記載のベビーキャリア。
【請求項８】
前記２本の接触部分には、子供の両脇の下を通って子供の胸を支える安全帯の両端が固定されていることを特徴とする請求項１、２、３、４，５、６、又は７に記載のベビーキャリア。
【請求項９】
前記２本の接触部分は、前記大人の左右の肩の前の部位、及び前記支持部分へ連続する近傍の部位で、回動部を有し、この回動部により前記接触部分の肩に接触する部分は後方へのみ、前記支持部分は上方へのみ回動して折れ曲がることができることを特徴とする請求項１、２、３、４，５、６、又は７に記載のベビーキャリア。
【発明の詳細な説明】
【技術分野】
【０００１】
この発明は、子供を抱っこするなどに用いるべビーキャリアに関する。
【背景技術】
【０００２】
子供を抱っこするのに、対面でも前向きでも可能にする抱っこ紐が、特許文献１に提案される。
【特許文献１】特開２００３−１００１０  また、子供を抱っこやおんぶするのに、おんぶ紐や抱っこ紐を兼ねたものが特許文献２に提案される。
【特許文献２】特開平０９−３２７３２１  更に、紐ではなく、パイプフレームによっておんぶをする装置が特許文献３に提案される。荷物を背負うように使用でき、子供を長時間おんぶする際などに、大人の体への負担が少ない。
【特許文献３】特開２００１−２０４５９３
【発明の開示】
【発明が解決しようとする課題】
【０００３】
しかしながら、以上のおんぶ紐や抱っこ紐に比べ、以上のパイプフレームの装置によれば、長時間のおんぶには向いているものの、構造が複雑で従って重量が大きくなり、大人の体から離れた部分が多く従って使用時にかさばる部分が大きく人ごみでの使用などに不便であり、また、抱っこはできない構造であった。
【０００４】
そこで、この発明は、構造がシンプルで軽く、大人の体から離れた部分が少なく従って使用時にかさばる部分を小さくし人ごみでの使用も比較的に便利であり、抱っこだけでなくおんぶも可能なベビーキャリアを提供することを課題とする。
【課題を解決するための手段】
【０００５】
以上の課題を解決するために、第一発明は、 パイプ材又は棒材からなり、大人の左右の肩の後から肩の上を経て肩の前から下方へ伸び胸又は腹に沿う形状を有して体に接触する左右２本の接触部分と、これら各接触部分から連続して略水平方向へ伸びて子供の体重を支持する支持部分と、これら両支持部分が結合し子供の腹又は背中を支える結合部分と、を有することを特徴とするベビーキャリアである。
【０００６】
第二発明は、更に、全体が１本の前記パイプ材又は棒材からなり、前記各部分が屈曲されて加工され、前記支持部分から前記結合部分が上方へ立ち上がっていることを特徴とするベビーキャリアである。
第三発明は、更に、大人の左右の肩の後から肩の上を経る部分に、部分的な接触を緩和するためのパッドが設けられることを特徴とするベビーキャリアである。
第四発明は、更に、２本の接触部分を互いに連結して補強し、同時に子供の背もたれを兼ねる平板状部分を有することを特徴とするベビーキャリアである。
【０００７】
第五発明は、更に、前記２本の支持部分は、子供の尻部が入らない間隔を有し、子供が跨いでも痛くないクッション、又はパッドなどの緩衝材で覆われていることを特徴とするベビーキャリアである。
第六発明は、更に、前記２本の支持部分は、子供の尻部が入る大きさの間隔を有し、この尻部を支える布、クッション、又は網などのフレキシブルな面材で互いに連結されていることを特徴とするベビーキャリアである。  第七発明は、更に、前記フレキシブルな面材には、子供の脚を入れる孔が形成されていることを特徴とするベビーキャリアである。
【０００８】
第八発明は、更に、前記２本の接触部分には、子供の両脇の下を通って子供の胸を支える安全帯の両端が固定されていることを特徴とするベビーキャリアである。
第九発明は、更に、前記２本の接触部分は、前記大人の左右の肩の前の部位、及び前記支持部分へ連続する近傍の部位で、回動部を有し、この回動部により前記接触部分の肩に接触する部分は後方へのみ、前記支持部分は上方へのみ回動して折れ曲がることができることを特徴とするベビーキャリアである。
【発明の効果】
【０００９】
第一、第二、第三、第四、第五、第六、第七、第八、または第九発明のベビーキャリアによれば、大人の左右の肩の後から肩の上を経て肩の前から下方へ伸び胸又は腹に沿う形状を有して体に接触する左右２本の接触部分と、これら各接触部分から連続して略水平方向へ伸びて子供の体重を支持する支持部分と、これら両支持部分が結合し子供の腹又は背中を支える結合部分と、からなることで、全体が連続的な形状になり、そのぶん構造がシンプルで、従って軽い。
【００１０】
支持部分の略水平方向への大きさは、子供の体重を支持する大きさがあればよく、それほど大きくしなくて済む。よって、ベビーキャリアの使用者である大人の体から離れた部分が少なく、従って使用時にかさばる部分を小さくでき、このため人ごみでの使用も比較的に便利である。
【００１１】
また、支持部分に子供を前向きで座らせれば前向き抱っこになり、対面で座らせれば対面抱っこになる。
また、ベビーキャリアの前後を逆にすれば、抱っこだけでなくおんぶも可能となる。
第二、第三、第四、第五、第六、第七、第八、または第九発明のベビーキャリアによれば、更に、全体が１本のパイプ材又は棒材を屈曲して加工することで、よりシンプルで、より軽くできる。また、結合部分が上方へ立ち上がっていることから、この結合部分が子供のにぎるハンドルになり、更に、子供の体を支える。
【００１２】
第三、第四、第五、第六、第七、第八、または第九発明のベビーキャリアによれば、更に、もっとも荷重がかかる肩の部分にパッドを設けて部分的な接触を緩和できる。
第四、第五、第六、第七、第八、または第九発明のベビーキャリアによれば、更に、２本の接触部分を互いに連結して補強することで、全体をより軽くできる。この連結が、背もたれを兼ねる平板状部分により行われるので、子供の背中が保護される。
【００１３】
第八、または第九発明のベビーキャリアによれば、更に、子供の胸を支える安全帯によって子供の姿勢を維持でき、子供の安全を図れる。
第九発明のベビーキャリアによれば、更に、ベビーキャリアを不使用時に折り曲げて、コンパクトにして持ち運ぶことができる。
【発明を実施するための最良の形態】
【００１４】
（構成）
この発明の実施形態のベビーキャリアを、図１に示す。
このベビーキャリア１は、表面が緩衝材に覆われた、全体が１本のパイプ材３からなり、屈曲されて左右対称に加工される。まず、大人の左右の肩５の後に両端部７があり、この両端部７から円弧状に肩５の上を経て、更に肩５の前から下方へ伸び、胸９又は腹１１に沿う形状を有して体に接触する左右２本の接触部分１３が形成される。この接触部分１３の曲線を、人体の表面の曲面にできるだけ沿うものとすることで、ソフトな接触が得られる。
【００１５】
これら各接触部分１３から連続して略水平方向へ伸びて、跨いだ子供１５の体重を支持する２本の支持部分１７が形成される。これら支持部分１７から上方へ立ち上がり連続し結合して、子供１５の腹又は背中を支える逆Ｕ字状の結合部分１９が形成される。２本の接触部分１３には、安全帯２１の両端が固定され、この安全帯２１は子供１５の両脇の下を通って子供１５の胸１５Ａを支える。
【００１６】
（使用方法）
接触部分１３の両端部７を大人が両肩にかけ、支持部分１７に子供１５を前向きで座らせれば前向き抱っこになる。また、支持部分１７に子供１５を対面で座らせれば対面抱っこになる。なお、ベビーキャリア１の前後を逆にすれば、抱っこだけでなくおんぶも可能となる。
【００１７】
（実施形態の効果）
この実施形態のベビーキャリア１によれば全体が１本のパイプ材３からなる連続的な形状になり、そのぶん構造がよりシンプルで、従ってより軽い。
支持部分１７の略水平方向前方へ突出する大きさは、子供１５の体重を支持する大きさがあればよく、それほど大きくしなくて済む。よって、ベビーキャリア１の使用者である大人の体から離れた唯一の部分である支持部分１７もそれほど突出させなくてすみ、従って使用時に前方へ突出しかさばる部分を小さくできる。このため電車内などの人ごみでの使用も周囲の邪魔にならずに、比較的に便利である。
また、結合部分が上方へ立ち上がっていることから、この結合部分が前向き抱っこされた子供のにぎるハンドルになり、更に、子供の体を支えることができる。
【００１８】
また、好みに合わせて、支持部分１７に子供１５を前向きで座らせれば前向き抱っこになり、対面で座らせれば対面抱っこになる。
また、ベビーキャリア１の前後を逆にすれば、抱っこだけでなくおんぶも可能となる。このおんぶにおいても、子供１５を座らせる向きを、２方向で選択できる。
【００１９】
「他の実施形態」
図１の実施形態では、表面が緩衝材に覆われたパイプ材３を使用したが、他の実施形態では、図２に示すように接触部分１３のうちもっとも荷重がかかる肩の部分にパッド２３を設けて部分的な接触を緩和できる。
【００２０】
すなわち図２（Ａ１）に示すようなゴムあるいはウレタン材からなる円弧状のパッド２３であって背部分を半割状にしたものを、同図（Ａ２）のように接触部分１３の肩５の接触する部位である円弧状の部分に下側にあてがって接着し取り付ける。
また、同図（Ｂ１）（Ｂ２）のように、半割状ではなく、円弧状のパッド２３であって筒状にしたものを、接触部分１３の円弧状の部分に挿通して取り付けても良い。
【００２１】
また、同図（Ｃ１）（Ｃ２）（Ｃ３）のように、パッド２３を接触部分１３の両端部分に取り付けても良い。すなわち、円弧状のパッド２３の背部に円弧状の基板２５を設け、この基板２５の背部中央を接触部分１３の端部分に取り付ける。これによりパイプ材３の円弧状部分は、肩５より離れ、撓むことができる。この撓みにより、子供１５を抱っこした状態の動きに伴う運動荷重を吸収し緩和できる。
【００２２】
また、同図（Ｄ１）（Ｄ２）のように、パッド２３としての革、ゴム、布、ナイロンなどの緩衝部材を帯状物２７にし、この帯状物２７の両端を、パイプ材３の円弧状部分の下側に固定し、この固定位置を離すことで、帯状物２７の中央がパイプ材３の円弧状部分に対し数ｃｍ離れた状態とすることができる。これにより、より緩衝機能を発揮できる。
【００２３】
図１の実施形態では、２本の接触部分１３は独立していたが、他の実施形態では、図３に示すように、２本の接触部分１３を互いに平板状部分２９で連結するものとできる。平板状部分２９は表面が緩衝材で覆われ、背もたれを兼ねる。
連結して補強することで、ベビーキャリア１全体をより軽くできる。また、この連結が、背もたれを兼ねる平板状部分２９により行われるので、子供１５の背中が保護されることになる。平板状部分２９は色々の幅を有するものとすることができる（同図（Ａ）（Ｂ）（Ｃ））。
【００２４】
また、この図３に示すように、支持部分１７に緩衝のためのパッド３０を設けることができる。
図１の実施形態では、支持部分１７は、子供１５が跨いでお尻を乗せるものであったが、この他にも他の実施形態では図４に示すように、色々の実施形態が存在しうる。
すなわち、まず、跨ぐものとしては、２本の支持部分１７は子供１５の尻部が入らない間隔を有し、子供１５が跨いでも痛くないパッド３０（同図（Ａ））、あるいは椅子状のクッション３１（同図（Ｂ））を取り付けることができる。
【００２５】
また、同図（Ｃ）（Ｄ）に示すように、２本の支持部分１７の最接近部位は子供１５の尻部が入らない間隔を有するものの、その後方部位では子供１５の尻部が入る間隔を有するものとし、この後方部位に網などのフレキシブルな面材３３を張り渡し、子供１５の尻部を受けるものとしてよい。もちろん、面材３３は、必ずしも網ではなく、その他の布、クッション３１などのフレキシブルな面材３３でもよい。
【００２６】
また、跨ぐのではなく、お尻と脚を入れるものとすることもできる。すなわち、同図（Ｅ）（Ｆ）に示すように、２本の支持部分１７は子供１５の尻部が入る大きさの間隔を有し、この尻部を支える布などのフレキシブルな面材３３で互いに連結されているものとできる。
【００２７】
面材３３は、布以外にも、クッション３１、又は網（同図（Ｇ）（Ｈ））なども可能である。このとき、面材３３には、子供１５の脚１５Ｂを入れる孔３５が形成され、子供１５の重心位置を低くし安定させることができる。
図１の実施形態では、全体が１本のパイプ材３で構成されるものであったが、他の実施形態では、不使用時に折り曲げられる構造にすることができる。
【００２８】
すなわち、図５（Ａ）〜（Ｆ）に示すように、２本の接触部分１３は、大人の左右の肩５の前の部位、及び支持部分１７へ連続する近傍の部位で、左右方向に伸びる水平な回動軸を有する回動部３７を有する（同図（Ｂ））。この回動部３７は、一方向の回動のみが可能である。すなわち、接触部分１３の肩５に接触する部分１３Ａは後方へのみ、支持部分１７は上方へのみ回動して折れ曲がることができる構造とする（同図（Ｃ））。また、肩の部分のパッド２３は、同図（Ｄ）の図中の点線を回動軸とする回動部３９を有し、１８０度回動可能とする。
【００２９】
このような構造により、ベビーキャリア１を不使用時に折り曲げて、コンパクトにして持ち運ぶことができる（同図（Ｅ）（Ｆ））。
図１の実施形態では全体が１本のパイプ材３からなるものであったが、他の実施形態では図５（Ａ）に示すように、実際には左右２本のパイプ材３からなり、支持部分１７の中央で本来分割されているものが溶接などにより結合されていてもかまわない。また、結合部分１９が、左右それぞれ椅子の肘掛のように独立した円弧状の部分４１を有し、これらの左右の円弧状の部分４１がハンドルバー４３よって連結されていてもよい。
【００３０】
図６に示すように、図５（Ａ）の実施形態の変形例として、更に、子供１５の胸９を支える安全帯２１、背もたれを兼ねる平板状部分２９を有するものとしてもよい。
【図面の簡単な説明】
【００３１】
【図１】この発明の一実施形態に係るベビーキャリアを示すもので（Ａ）は使用状態の斜視図、（Ｂ）は単独の状態の斜視図である。
【００３２】
【図２】この発明の他の実施形態に係る肩の部分のパッドを示す斜視図で（Ａ１）のパッドをつけた状態を（Ａ２）に示す。（Ｂ１）のパッドをつけた状態を（Ｂ２）に示す。（Ｃ１）（Ｃ２）のパッドをつけた状態を（Ｃ３）に示す。（Ｄ１）のパッドをつけた状態を（Ｄ２）に示す。
【００３３】
【図３】この発明の他の実施形態に係るベビーキャリアを示す斜視図で（Ａ）（Ｂ）（Ｃ）は、２本の接触部分１３を互いに連結する平板状部分の幅が異なるものを示す。
【００３４】
【図４】この発明の他の実施形態に係るベビーキャリアを示す斜視図で、子供を支持する支持部分のバリエーションを表し、（Ａ）は跨いでも痛くないパッドを取り付けた図、（Ｂ）は跨いでも痛くないクッションを取り付けた図、（Ｃ）（Ｄ）は跨いだ子供の尻部を網で受ける図、（Ｅ）（Ｆ）は跨がずにお尻と脚を入れ、お尻を布で受ける図、（Ｇ）（Ｈ）は跨がずにお尻と脚を入れ、お尻を網で受け、網の孔に脚を入れる図である。
【００３５】
【図５】この発明の他の実施形態に係るベビーキャリアであって、折り曲げてコンパクトにたためるものを表し、（Ａ）は斜視図（Ｂ）は側面図、（Ｃ）は折り曲げ動作図、（Ｄ）はパッドをたたむ動作図、（Ｅ）はたたんだ状態を示す側面図、（Ｆ）はたたんだ状態を示す正面図である。
【図６】図５（Ａ）の実施形態の変形例を示す斜視図である。
【符号の説明】
【００３６】
１…ベビーキャリア、３…パイプ材、５…肩、７…両端部、９…胸、１１…腹、１３…接触部分、１５…子供、１７…支持部分、１９…部分、２１…安全帯、２３…パッド、２５…基板、２７…帯状物、２９…平板状部分、３１…クッション、３３…面材、３５…孔、３７…回動部、３９…円弧状の部分、４１…ハンドルバー。
【図１】
2005111194.tif 000003
【図２】
2005111194.tif 000004
【図３】
2005111194.tif 000005
【図４】
2005111194.tif 000006
【図５】
2005111194.tif 000007
【図６】
2005111194.tif 000008